(57)【要約】【課題】本発明は、外周にコイルを分割して巻回する分割巻ボビンに電線が巻回されたコイルおよび分割巻ボビンに電線が巻回されたコイル巻回方法に関するものである。【解決手段】本発明において、コイルを形成する第１の電線は、奇数番目の鍔と偶数番目の鍔によって形成された溝における導電体に先端が接続され、巻回されて他端が前記偶数番目の鍔に成形された先端突起部に仮止めされる。コイルを形成する第２の電線は、前記偶数番目の鍔と次の奇数番目の鍔によって形成された溝における導電体に先端が接続され、前記第１の電線と反対方向に巻回されて、他端が前記偶数番目に設けられ先端突起部に仮止めされる。【選択図】図１
2007201149.tif 000002
【特許請求の範囲】
【請求項１】
中空筒状体の外周面が複数の鍔で分割され、前記鍔によって形成された分割溝に電線が巻回される巻き枠からなる分割巻ボビンに電線が巻回されたコイルにおいて、
前記奇数番目に成形されている鍔の一方から他方に通ずるように前記中空筒状体に設けられた導電体と、
前記偶数番目の鍔の先端に成形されている先端突起部と、
最初の奇数番目の鍔と次の偶数番目の鍔によって形成された溝における導電体に一端が接続され、巻回されて他端が前記偶数番目の鍔に成形された前記先端突起部に仮止めされる第１の電線と、
前記偶数番目の鍔と次の奇数番目の鍔によって形成された溝における導電体に一端が接続され、第１の電線と反対方向に巻回されて他端が前記偶数番目に設けられ先端突起部に仮止めされている第１の電線と接続される第２の電線と、
前記第１の電線と第２の電線を同様に次の溝に順次巻回し、最後の奇数番目に成形されている溝に巻回された電線が先端突起部で前記コイルの終端となることを特徴とする分割巻ボビンに電線が巻回されたコイル。
【請求項２】
中空筒状体の外周面が複数の鍔で分割され、前記鍔によって形成された分割溝に電線が巻回される巻き枠からなる分割巻ボビンに電線が巻回されたコイルにおいて、
前記奇数番目に成形されている鍔の一方から他方に通ずるように前記中空筒状体に設けられた導電体と、
前記偶数番目の鍔の先端に成形されている先端突起部と、
最初の奇数番目の鍔と次の偶数番目の鍔によって形成された溝における導電体に一端が接続され、巻回されて他端が前記偶数番目の鍔に成形された前記先端突起部に仮止めされる第１の電線と、
前記偶数番目の鍔と次の奇数番目の鍔によって形成された溝における導電体に一端が接続され、第１の電線と反対方向に巻回されて他端が前記偶数番目に設けられ先端突起部に仮止めされている第１の電線と接続される第２の電線と、
前記第１の電線と第２の電線を同様に次の溝に順次巻回し、最後の奇数番目に成形されている溝に巻回された電線が前記導電体に接続されて、前記コイルの終端となることを特徴とする分割巻ボビンに電線が巻回されたコイル。
【請求項３】
前記奇数番目に成形されている鍔の一方から他方に通ずるように中空筒状体に設けられた導電体は、分割巻ボビンの成形時にインサートされることを特徴とする請求項１または請求項２に記載された分割巻ボビンに電線が巻回されたコイル。
【請求項４】
前記奇数番目に成形されている鍔の一方から他方に通ずるように中空筒状体に設けられた導電体は、前記中空筒状体の内部に一部が埋設され、前記鍔の両側部において、前記中空筒状体の表面で露出していることを特徴とする請求項１から請求項３のいずれか１項に記載された分割巻ボビンに電線が巻回されたコイル。
【請求項５】
前記導電体の上面と前記中空筒状体の表面とは、ほぼ電線の直径に相当する段差が設けられていることを特徴とする請求項４に記載された分割巻ボビンに電線が巻回されたコイル。
【請求項６】
前記中空筒状体は、前記インサートされた導電体の表面が露出する凹部を有するとともに、前記凹部に連設された前記中空筒状体の表面に連なる傾斜面を有することを特徴とする請求項５に記載された分割巻ボビンに電線が巻回されたコイル。
【請求項７】
前記傾斜面は、前記電線の巻回方向に設けられていることを特徴とする請求項６に記載された分割巻ボビンに電線が巻回されたコイル。
【請求項８】
前記偶数番目に成形されている鍔の先端突起部は、前記第１および第２の電線の他端が仮止めできる形状になっていることを特徴とする請求項１から請求項７のいずれか１項に記載された分割巻ボビンに電線が巻回されたコイル。
【請求項９】
前記鍔は、その一方の面または他方の面に少なくとも一つの凹部が成形されていることを特徴とする請求項１から請求項８のいずれか１項に記載された分割巻ボビンに電線が巻回されたコイル。
【請求項１０】
前記コイルは、内燃機関用点火コイルであることを特徴とする請求項１から請求項９のいずれか１項に記載された分割巻ボビンに電線が巻回されたコイル。
【請求項１１】
中空筒状体の外周面が複数の鍔で分割され、前記鍔によって形成された分割溝に電線が巻回される巻き枠からなる分割巻ボビンと、
前記奇数番目に成形されている鍔の一方から他方に通ずるように前記中空筒状体に設けられた導電体と、
前記偶数番目の鍔の先端に成形されている先端突起部と、
から構成されている分割巻ボビンに電線が巻回されたコイル巻回方法において、
最初の奇数番目の鍔と次の偶数番目の鍔によって形成された溝における前記導電体に第１の電線の先端が接続されることにより、巻回が開始され、前記第１の電線の他端が前記偶数番目の鍔に設けられた先端突起部に仮止めされる第１のステップと、
前記偶数番目の鍔と次の奇数番目の鍔によって形成された溝における前記導電体に第２の電線の一端が接続されることにより、第１の電線と反対方向に巻回が開始され、巻回された他端が前記偶数番目に設けられ先端突起部に仮止めされる第２のステップと、
から少なくともなり、第１のステップから始まり、第１のステップと第２のステップを交互に繰り返し、第２のステップで終わることを特徴とする分割巻ボビンに電線が巻回されたコイル巻回方法。
【請求項１２】
第１のステップから始まり、第１のステップと第２のステップを交互に繰り返し、第１のステップで終わることを特徴とする請求項１１に記載された分割巻ボビンに電線が巻回されたコイル巻回方法。
【発明の詳細な説明】
【技術分野】
【０００１】
本発明は、外周にコイルを分割して巻回する分割巻ボビンに電線が巻回されたコイルおよび分割巻ボビンに電線が巻回されたコイル巻回方法に関するものである。本発明は、火花放電を発生させるための高電圧を点火プラグに供給するための内燃機関用点火コイル装置に適用した場合、特に優れている分割巻ボビンに電線が巻回されたコイルおよび分割巻ボビンに電線が巻回されたコイル巻回方法に関するものである。
【背景技術】
【０００２】
図８は従来例における内燃機関用点火コイル装置のボビンを説明するための正面図である。図８において、内燃機関用点火コイル用の分割巻ボビン８１は、ほぼ横長の長方形からなる中空筒状体８２の外周に所定間隔の溝ができるように鍔８３が一体的に複数設けられている。前記溝には、電線が所定数巻回されている。前記電線は、前記溝の底部から上部に所定回数巻回された後、隣の溝に移る際に、切欠き部８４を通り、隣の溝の底部から巻回される。
【０００３】
図９は従来例における内燃機関用点火コイル装置を説明するための正面図である。図９において、内燃機関用点火コイル装置は、前記分割巻ボビン８１の溝に電線８５が巻回された状態を示している。前記分割巻ボビン８１に成形された切欠き部８４は、図９の見える所と、見えない所が交互になっている。前記従来例は、たとえば、特開２００４−２２１１４７号公報に詳細が記載されている。
【特許文献１】特願２００４−２２１１４７号公報
【発明の開示】
【発明が解決しようとする課題】
【０００４】
前記従来例の分割巻ボビン８１に設けられた鍔８３には、電線を渡らせるために切欠き部８４が成形されている。前記鍔８３の切欠き部８４は、電線８５を隣の溝に渡らせる際に、前記鍔８３あるいは切欠き部８４に隙間なく沿わせることができない。前記切欠き部８４と電線８５の間にできた隙間は、異物の混入あるいは絶縁物の充填不良による気泡の発生、あるいは充填物とボビンとの密着不良、切欠き部での巻線膨らみによる隣どうしの電線間距離の狭小によって発生する絶縁不良の原因となった。また、前記隙間は、電線８５が擦れて絶縁被覆が破壊される恐れがある。また、前記隙間は、前記充填材と分割巻ボビン８１との密着不良による界面での絶縁不良の発生となり、製品寿命が短く、品質が安定しないという問題があった。
【０００５】
前記分割巻ボビン８１は、その溝に電線８５が巻回される際に、引っ張り力が掛けられているため、前記電線８５によって、締めつけられており、この応力が鍔８３の倒れとして現れる。このため、次の溝に巻回される電線８５は、前記鍔８３の倒れによって、所定の巻線数だけ巻回することができなくなり、生産性を著しく低下させるという問題があった。
【０００６】
前記分割巻ボビン８１は、通常、熱可塑性樹脂で成形されており、鍔８３に切欠き部８４があると、成形時に前記熱可塑性樹脂が前記切欠き部８４の所で、樹脂の流れが悪くなり、空気が抜けない場合がある。前記空気は、成形時に熱により、前記熱可塑性樹脂を炭化し、絶縁を破壊することがあるという問題があった。また、前記電線８５は、分割コイルを成形した後、前記切欠き部８４から鍔８３の側面を通って、溝の底部から巻回が開始される。前記鍔８３の側面に沿って通る電線８５は、この部分において、膨らみ部分となり、絶縁被膜の損傷、その他のトラブルの原因になった。
【０００７】
以上のような課題を解決するために、本発明は、分割巻ボビンの溝に形成された導電体に電線の始端を接続し、所定回数の巻回後、前記電線の終端を鍔の先端部に設けた先端突起部に接続し、隣合った溝における電線の巻回を反対方向にし、終端を前記先端突起部に接続するようにした分割巻ボビンに電線が巻回されたコイルおよび分割巻ボビンに電線が巻回されたコイル巻回方法を提供することを目的とする。
【課題を解決するための手段】
【０００８】
（第１発明）
第１発明の分割巻ボビンに電線が巻回されたコイルは、中空筒状体の外周面が複数の鍔で分割され、前記鍔によって形成された分割溝に電線が巻回される巻き枠からなる分割巻ボビンに電線が巻回されるものであり、前記奇数番目に成形されている鍔の一方から他方に通ずるように前記中空筒状体に設けられた導電体と、前記偶数番目の鍔の先端に成形されている先端突起部と、最初の奇数番目の鍔と次の偶数番目の鍔によって形成された溝における導電体に一端が接続され、巻回されて他端が前記偶数番目の鍔に成形された前記先端突起部に仮止めされる第１の電線と、前記偶数番目の鍔と次の奇数番目の鍔によって形成された溝における導電体に一端が接続され、第１の電線と反対方向に巻回されて他端が前記偶数番目に設けられ先端突起部に仮止めされている第１の電線と接続される第２の電線と、前記第１の電線と第２の電線を同様に次の溝に順次巻回し、最後の奇数番目に成形されている溝に巻回された電線が先端突起部で前記コイルの終端となることを特徴とする。
【０００９】
（第２発明）
第２発明の分割巻ボビンに電線が巻回されたコイルは、中空筒状体の外周面が複数の鍔で分割され、前記鍔によって形成された分割溝に電線が巻回される巻き枠からなる分割巻ボビンに電線が巻回されるものであり、前記奇数番目に成形されている鍔の一方から他方に通ずるように前記中空筒状体に設けられた導電体と、前記偶数番目の鍔の先端に成形されている先端突起部と、最初の奇数番目の鍔と次の偶数番目の鍔によって形成された溝における導電体に一端が接続され、巻回されて他端が前記偶数番目の鍔に成形された前記先端突起部に仮止めされる第１の電線と、前記偶数番目の鍔と次の奇数番目の鍔によって形成された溝における導電体に一端が接続され、第１の電線と反対方向に巻回されて他端が前記偶数番目に設けられ先端突起部に仮止めされている第１の電線と接続される第２の電線と、前記第１の電線と第２の電線を同様に次の溝に順次巻回し、最後の奇数番目に成形されている溝に巻回された電線が前記導電体に接続されて、前記コイルの終端となることを特徴とする。
【００１０】
（第３発明）
第３発明の分割巻ボビンに電線が巻回されたコイルにおいて、第１発明または第２発明における奇数番目に成形されている鍔の一方から他方に通ずるように中空筒状体に設けられた導電体は、分割巻ボビンの成形時にインサートされることを特徴とする。
【００１１】
（第４発明）
第４発明の分割巻ボビンに電線が巻回されたコイルにおいて、第１発明から第３発明における奇数番目に成形されている鍔の一方から他方に通ずるように中空筒状体に設けられた導電体は、前記中空筒状体の内部に一部が埋設され、前記鍔の両側部において、前記中空筒状体の表面で露出していることを特徴とする。
【００１２】
（第５発明）
第５発明の分割巻ボビンに電線が巻回されたコイルにおいて、第４発明における導電体の上面と前記中空筒状体の表面とは、ほぼ電線の直径に相当する段差が設けられていることを特徴とする。
【００１３】
（第６発明）
第６発明の分割巻ボビンに電線が巻回されたコイルにおいて、第５発明における中空筒状体は、前記インサートされた導電体の表面が露出する凹部を有するとともに、前記凹部に連設された前記中空筒状体の表面に連なる傾斜面を有することを特徴とする。
【００１４】
（第７発明）
第７発明の分割巻ボビンに電線が巻回されたコイルにおいて、第６発明における傾斜面は、前記電線の巻回方向に設けられていることを特徴とする。
【００１５】
（第８発明）
第８発明の分割巻ボビンに電線が巻回されたコイルにおいて、第１発明から第７発明における偶数番目に成形されている鍔の先端突起部は、前記第１および第２の電線の他端が仮止めできる形状になっていることを特徴とする。
【００１６】
（第９発明）
第９発明の分割巻ボビンに電線が巻回されたコイルにおいて、第１発明から第８発明における鍔は、その一方の面または他方の面に少なくとも一つの凹部が成形されていることを特徴とする。
【００１７】
（第１０発明）
第１０発明の分割巻ボビンに電線が巻回されたコイルにおいて、第１発明から第９発明におけるコイルは、内燃機関用点火コイルであることを特徴とする。
【００１８】
（第１１発明）
第１１発明の分割巻ボビンに電線が巻回されたコイル巻回方法は、中空筒状体の外周面が複数の鍔で分割され、前記鍔によって形成された分割溝に電線が巻回される巻き枠からなる分割巻ボビンと、前記奇数番目に成形されている鍔の一方から他方に通ずるように前記中空筒状体に設けられた導電体と、前記偶数番目の鍔の先端に成形されている先端突起部と、から構成されている分割巻ボビンに電線が巻回されたものであり、最初の奇数番目の鍔と次の偶数番目の鍔によって形成された溝における前記導電体に第１の電線の先端が接続されることにより、巻回が開始され、前記第１の電線の他端が前記偶数番目の鍔に設けられた先端突起部に仮止めされる第１のステップと、前記偶数番目の鍔と次の奇数番目の鍔によって形成された溝における前記導電体に第２の電線の一端が接続されることにより、第１の電線と反対方向に巻回が開始され、巻回された他端が前記偶数番目に設けられ先端突起部に仮止めされる第２のステップと、から少なくともなり、第１のステップから始まり、第１のステップと第２のステップを交互に繰り返し、第２のステップで終わることを特徴とする。
【００１９】
（第１２発明）
第１２発明の分割巻ボビンに電線が巻回されたコイル巻回方法は、第１１発明において、第１のステップから始まり、第１のステップと第２のステップを交互に繰り返し、第１のステップで終わることを特徴とする。
【発明の効果】
【００２０】
本発明によれば、鍔に切欠き部を設ける必要がないため、コイルの側面と鍔の側面との間に隙間がなく、異物の混入あるいは絶縁物の充填不良による気泡によるボビンとの密着不良等によって発生する絶縁不良がなく、製品寿命が長く、品質を安定させることができる。
【００２１】
本発明によれば、鍔に設けられた切欠き部に基づく、鍔倒れあるいは巻線の膨らみがないため、巻乱れがなく、所定の巻回数にすることが容易であり、生産性に優れている。
【００２２】
本発明によれば、絶縁物で充填する際に、内部に空気が入らないため、前記空気に基づくいろいろな害が発生しない。
【発明を実施するための最良の形態】
【００２３】
（第１発明）
第１発明の分割巻ボビンに電線が巻回されたコイルは、中空筒状体の外周面が複数の鍔で分割され、前記鍔によって形成された分割溝に電線が巻回される巻き枠からなる分割巻ボビンに電線が巻回されている。奇数番目に成形されている鍔は、電線の始端を接続する導電体が鍔の一方から他方に通ずるように前記中空筒状体に設けられている。また、前記偶数番目に成形されている鍔の外周における先端には、前記電線の終端を仮り付けまたは接続する先端突起部が成形されている。
【００２４】
前記コイルを形成する第１の電線は、最初の奇数番目の鍔と次の偶数番目の鍔によって形成された溝における前記導電体に一端が接続され、所定回数巻回された後、他端が前記偶数番目の鍔に成形された前記先端突起部に仮止めされる。前記コイルを形成する第２の電線は、前記偶数番目の鍔と次の奇数番目の鍔によって形成された溝における前記導電体に先端が接続され、前記第１の電線と反対方向に巻回されて他端が前記偶数番目に設けられ先端突起部に仮止めされるか、または接続される。前記第１の電線と第２の電線は、同様に次の溝に順次巻回され、最後の奇数番目に成形されている溝に巻回された電線が先端突起部で前記コイルの終端となる。
【００２５】
（第２発明）
第２発明は、第１発明が奇数番目の溝で巻回を終了しているのに対して、前記第１の電線と第２の電線が次の溝に順次に巻回され、最後の偶数番目に成形されている溝に巻回された電線が前記導電体で前記コイルの終端となっている点で相違している。
【００２６】
本発明は、鍔に切欠き部を設ける必要がないため、巻回された電線の側面と電位差が大きい隣溝の電線の側面との間に隙間がなく、異物の混入あるいは絶縁物の充填不良による気泡の発生あるいは充填物とボビンとの密着不良、切欠き部での巻線膨らみによる隣どうしの電線間距離の狭小によって発生する絶縁不良がなく、製品寿命が長く、品質を安定させることができる。また、本発明は、鍔に設けられた切欠き部に基づく、鍔倒れおよびこれに伴う巻線スペースの縮小による巻線の膨らみがないため、巻乱れがなく、所定の巻回数にすることが容易であり、生産性に優れている。さらに、本発明は、通常射出成形で生産される際に、切欠き部がないため、金型構造が簡単で、鍔部は全周囲均一なため成形材の樹脂流れがよく、成形時のガス焼け発生がなく、生産性のよい分割巻ボビンを供給することができる。
【００２７】
（第３発明）
第３発明の分割巻ボビンに電線が巻回されたコイルにおいて、奇数番目に成形されている鍔の一方から他方に通ずるように中空筒状体に設けられた導電体は、前記鍔の両側で、電線に接触する部分からなり、分割巻ボビンの成形時にインサートによって、一体成形される。前記導電体は、平面または電線が接続される部分に突出部を設けるようにすることができる。
【００２８】
（第４発明）
第４発明の分割巻ボビンに電線が巻回されたコイルにおいて、奇数番目に成形されている鍔の一方から他方に通ずるように中空筒状体に設けられた導電体は、ボビンを構成する中空筒状体の内部に一部が埋設され、鍔の両側部において、前記中空筒状体の表面より低い部分で露出している。前記電線は、前記溝における導電体の露出部に先端が接続される。
【００２９】
（第５発明）
第５発明の分割巻ボビンに電線が巻回されたコイルにおいて、導電体の上面とボビンを構成する中空筒状体の表面との間の段差は、ほぼ電線の直径に相当するように設けられている。前記中空筒状体の表面は、前記導電体の上面に電線を接続した場合、ほぼ同じ高さになる。そのため、前記電線は、巻回されて二順目に来た場合、段差がなくなり、断線あるいは絶縁被膜に傷が付いてレヤーショートするようなことがない。
【００３０】
（第６発明）
第６発明の分割巻ボビンに電線が巻回されたコイルにおいて、ボビンを構成する中空筒状体は、前記導電体が埋設される凹部を有するとともに、前記導電体の上面から前記中空筒状体の表面に連なる傾斜面を有する。前記電線は、前記導電体の上面に接続された後、前記傾斜面に沿って巻回され、折れ曲がることがないため、巻乱れあるいは絶縁被膜の損傷が起きない。
【００３１】
（第７発明）
第７発明の分割巻ボビンに電線が巻回されたコイルにおいて、ボビンを構成する中空筒状体に設けられた傾斜面は、前記電線の巻回方向に設けられている。すなわち、前記中空筒状体に設けられた傾斜面は、第１の電線と第２の電線の巻回方向が異なるため、奇数番目の溝と偶数番目の溝によって、方向が異なるようになっている。
【００３２】
（第８発明）
第８発明の分割巻ボビンに電線が巻回されたコイルにおいて、偶数番目に成形されている鍔の先端突起部は、前記第１および第２の電線の他端が巻き付けられて仮止めする際に、容易に脱落しないような形状になっている。前記形状は、たとえば、最先端部より手前に周方向に凹部が設けられている。
【００３３】
（第９発明）
第９発明の分割巻ボビンに電線が巻回されたコイルにおいて、ボビンに一体成形されている鍔は、その一方の面または他方の面に少なくとも一つの凹部が成形されている。前記凹部は、鍔を渡る切欠きより浅いものであり、絶縁物を充填する際に、前記溝の底部にある電線間にも絶縁物が充填され易いような大きさのものであり、任意の数だけ設けることができる。また、前記凹部は、電線を巻回する際に巻回乱れあるいは膨らみが生じない程度のものである。
【００３４】
（第１０発明）
第１０発明の分割巻ボビンに電線が巻回されたコイルは、内燃機関用点火コイルに適用することで、振動等に強く、経年変化によっても、信頼性が向上したものとなる。
【００３５】
（第１１発明）
第１１発明の分割巻ボビンに電線が巻回されたコイル巻回方法は、中空筒状体の外周面が複数の鍔で分割され、前記鍔によって形成された分割溝に電線が巻回される巻き枠からなる分割巻ボビンと、前記奇数番目に成形されている鍔の一方から他方に通ずるように中空筒状体に設けられた導電体と、前記偶数番目の鍔の先端に成形されている先端突起部とから構成されたものに適用するものである。第１のステップは、最初の奇数番目の鍔と次の偶数番目の鍔によって形成された溝における前記導電体に第１の電線の一端が接続されることにより、巻回が開始され、前記溝の上部まで巻回された後、前記第１の電線の他端が前記偶数番目の鍔に設けられた先端突起部に仮止めされる。
【００３６】
第２のステップは、隣の溝、すなわち、前記偶数番目の鍔と次の奇数番目の鍔によって形成された溝における前記導電体に第２の電線の一端が接続されることにより、第１の電線と反対方向に巻回が開始され、前記同様に、前記溝の上部まで巻回された後、前記第２の電線の他端が前記偶数番目に設けられ先端突起部に仮止めされる。前記仮止めは、他の仮止め部とともに、溶接等により第１の電線と第２の電線が接続される。前記分割巻ボビンに電線が巻回されたコイル巻回方法は、少なくとも前記第１のステップおよび第２のステップとからなり、第１のステップから始まり、交互にステップが繰り替えされ、第２のステップで終わり、電流の流れる方向が一定方向になる。
【００３７】
（第１２発明）
第１２発明の分割巻ボビンに電線が巻回されたコイル巻回方法は、第１１発明と同様に、第１のステップから始まり、第１のステップと第２のステップを交互に繰り返す。第１２発明の第１１発明と異なる所は、第１のステップで終わることである。すなわち、第１１発明が奇数番目の溝に設けられた導電体に第２の電線がコイル終端として接続されているのに対して、第１２発明は、偶数番目の鍔に設けられた先端突起部で第１の電線がコイルの終端として接続されている。以上のように、第１１発明および第１２発明は、分割コイルの数を任意にすることができる。
【実施例１】
【００３８】
図１は本発明の第１実施例である分割巻ボビンに電線が巻回されたコイルボビンを説明するための図で、（イ）はボビンの正面図、（ロ）はボビンの側面図で偏平な導電体を使用した例である。図１（イ）および（ロ）において、ボビン１１は、コイルを分割して巻回するための複数の鍔１２と、前記鍔１２の一方から他方に貫通する導電体１３と、前記鍔１２によって形成された溝１１２に巻回される電線１４とから構成されている。前記ボビン１１は、ほぼ横長の中空筒状体１１１からなり、前記中空筒状体１１１の外周面に複数の溝１１２が形成されるように、複数の鍔１２が一体成形されている。
【００３９】
図２は本発明の第１実施例における導電体と中空筒状体を説明するためのもので、（イ）はコイル端部に設ける導電体の斜視図、（ロ）はコイル端部以外の奇数番目に設ける導電体の斜視図、（ハ）は導電体と中空筒状体を説明するための断面図で、電線と接続する部分が凸部になっている例である。図１（イ）および（ロ）と、図２（イ）から（ハ）において、前記中空筒状体１１１は、奇数番目の鍔１２の下部において、導電体１３または１３′がインサート成形されて、電線が渡れるようになっている。前記導電体１３は、図２（イ）に示されているように、端部１３３の一部を除いて、ボビン１１の内部に埋設されるボビン埋設部１３１と、前記ボビン埋設部１３１の上部で電線１４の始端に接続される電線接続部１３２とから構成される。前記電線接続部１３２は、図１（ロ）の拡大図で示されているように、偏平にすることができる。
【００４０】
前記導電体１３′は、図２（ロ）に示されているように、ボビン１１の内部に埋設されるボビン埋設部１３４と、前記ボビン埋設部１３４の上部で電線１４の始端に接続される電線接続部１３５と、図示されていない、金型の位置決め用ピンを貫通させる貫通孔１３７、１３８とから構成される。前記貫通孔１３７と貫通孔１３８は、対角の位置に設けられている。前記導電体１３′は、奇数番目の鍔１２（ただし、端部を除く）の下部で、中空筒状体１１１内を通り、溝１１２においてのみ、電線接続部１３５の一部が露出するようにインサートされている。前記溝１１２を形成する中空筒状体１１１は、前記導電体１３の一部が露出しているため、電線１４の始端と接続できるようになっている。図２（ハ）において、前記導電体１３に電線１４の始端を接続した後の上面は、溝１１２の表面とほぼ同じ高さになっている。なお、前記導電体１３、１３′における電線接続部１３２、１３５は、図２（イ）および（ロ）に示すように必ずしも突出させる必要がなく、一つの平面とすることができる。さらに、前記貫通孔１３７、１３８は、位置決めができれば、貫通しない凹部であってもよく、図示されていない、金型の形状によるものである。なお、図２（イ）に示す導電体１３は、金型の位置決め用ピンを貫通させる貫通孔がないが、ボビン１１の両端部であるため、必ずしも貫通孔でなく、露出している端部を固定することができる。
【００４１】
また、図２（ハ）から判るように、前記中空筒状体１１１にインサートされた前記導電体１３、１３′の上面は、溝１１２に設けられた開口部１１３の内部となっている。前記導電体１３の電線接続部１３２、１３５に接続された電線１４は、前記開口部１１３による段差のため、折れる恐れがある。そこで、前記溝１１２の開口部１１３には、電線１４の巻回方向に沿って傾斜面１３６が設けられている。
【００４２】
電線１４は、前記導電体１３の電線接続部１３２の上面に、たとえば、溶接等によって接続された後、前記傾斜面１３６に沿って巻回され〔図１（ロ）矢線〕、一周すると、溝１１２の高さと前記電線１４の高さが同じになり、折れ曲がるような事故が発生しない。図１（イ）において、偶数番目の鍔１２は、外周の先端部の一部に電線の終端を仮止めまたは溶接接続する先端突起部１２１が設けられている。
【００４３】
図３は本発明の第１実施例における電線の巻回方法であり、（イ）は右からみて奇数番目の溝を説明する正面図であり、（ロ）は巻回方向が判るボビンの側面図である。図４は本発明の第１実施例における電線の巻回方法であり、右からみて偶数番目の溝に電線を巻回することにより、巻線の終了状態を説明するための図である。図３（イ）および（ロ）における奇数番目の溝（鍔３１と鍔３２、鍔３３と鍔３４、・・・との間）において、複数の電線１４の始端は、奇数番目の電線接続部１３２、１３５（図１（イ））上に接続された後、図３（ロ）の矢線の方向に複数回巻回される。
【００４４】
前記溝に巻回された電線１４の終端は、偶数番目の鍔３２、３４、・・・の先端に設けられている先端突起部１２１に仮接続される。次に、図４に示されているように、電線１４は、偶数番目の溝における電線接続部１３２、１３５に始端を接続した後、図３（ロ）の巻回方向と反対方向に巻回し、前記電線１４の終端を前記先端突起部１２１に仮止めする。図４における先端突起部１２１に仮止めされた電線１４は、図示されていない溶接機によって溶接される。電流は、導電体１３から電線１４の巻線を同じ方向に進み、他方の導電体４３に流れる。
【実施例２】
【００４５】
図５は本発明の第２実施例で、コイルボビンにおける鍔を説明するための正面図である。図６は本発明の第２実施例で、コイルボビンにコイルを巻回した例を説明するための図である。図５において、鍔１２の側面の形状が第１実施例と異なっている。鍔１２の側面の一方または両方には、少なくとも一つの凹部５１、５２、５３が成形されている。前記凹部５１から５３は、従来例における電線を渡す切欠き部より浅い凹部であり、溝の底部に達するようになっている。前記凹部５１から５３は、溝の底部に充填材が充填され易いようにしている。図６に示された例は、図５における鍔１２を備えたコイルボビンに巻線を行った例である。前記電線１４は、鍔１２の側面に前記凹部があっても、膨らみ等を起こすことなく、巻回される。
【００４６】
図７は本発明のコイルを内燃機関用点火コイルとして使用した例を説明するための図である。図７において、内燃機関用点火コイルにおけるコイル組立体収納ケース７２は、コイル組立体７１１、７１２、７１３、７１４を収納するとともに、底部７２３に連設された高圧端子収納部７２５から構成されている。前記高圧端子収納部７２５は、前記コイル組立体収納ケース７２の底部７２３から徐々に細くなるように一体に成形されている。したがって、前記コイル組立体収納ケース７２は、リード線７１７および高圧端子７１９との間に充分な絶縁樹脂７１８が充填され、絶縁が保持される。
【００４７】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例において、ボビンは、熱可塑性樹脂等の成形が容易な材料であれば、公知または周知の材料を使用できる。また、導電体は、黄銅を始め、導電性の良い金属板部材であれば、公知または周知の部材を使用できる。さらに、実施例は、溝が偶数のもので説明したが、奇数の溝とすることも可能である。中空筒状体の形状は、実施例に限らず、公知または周知のものと同じにすることができる。本実施例は、分割巻ボビンに電線が巻回されたコイルについて主に説明したが、前記分割巻ボビンに電線が巻回されたコイルを内燃機関用点火コイルに適用することにより、優れた効果を発揮することができる。
【図面の簡単な説明】
【００４８】
【図１】本発明の第１実施例である分割巻ボビンに電線が巻回されたコイルボビンを説明するための図で、（イ）はボビンの正面図、（ロ）はボビンの側面図で偏平な導電体を使用した例である。（実施例１）
【図２】本発明の第１実施例における導電体と中空筒状体を説明するためのもので、（イ）はコイル端部に設ける導電体の斜視図、（ロ）はコイル端部以外の奇数番目に設ける導電体の斜視図、（ハ）は導電体と中空筒状体を説明するための断面図で、電線と接続する部分が凸部になっている例である。
【図３】本発明の第１実施例における電線の巻回方法であり、（イ）は右からみて奇数番目の溝を説明する正面図であり、（ロ）は巻回方向が判るボビンの側面図である。
【図４】本発明の第１実施例における電線の巻回方法であり、右からみて偶数番目の溝に電線を巻回することにより、巻線の終了状態を説明するための図である。
【図５】本発明の第２実施例で、コイルボビンにおける鍔を説明するための正面図である。（実施例２）
【図６】本発明の第２実施例で、コイルボビンにコイルを巻回した例を説明するための図である。
【図７】本発明のコイルを内燃機関用点火コイルとして使用した例を説明するための図である。
【図８】従来例における内燃機関用点火コイル装置のボビンを説明するための正面図である。
【図９】従来例における内燃機関用点火コイル装置を説明するための正面図である。
【符号の説明】
【００４９】
１１・・・ボビン
１１１・・・中空筒状体
１１２・・・溝
１１３・・・開口部
１１４・・・傾斜部
１２、３１、３２、３３、３４・・・鍔
１２１・・・先端突起部
１３、１３′、４３・・・導電体
１３１・・・ボビン埋設部
１３２・・・電線接続部
１３３・・・端部
１３４・・・ボビン埋設部
１３５・・・電線接続部
１３６・・・傾斜面
１３７、１３８・・・貫通孔
１４・・・電線
５１、５２、５３・・・凹部
【図１】
2007201149.tif 000003
【図２】
2007201149.tif 000004
【図３】
2007201149.tif 000005
【図４】
2007201149.tif 000006
【図５】
2007201149.tif 000007
【図６】
2007201149.tif 000008
【図７】
2007201149.tif 000009
【図８】
2007201149.tif 000010
【図９】
2007201149.tif 000011